(57)【特許請求の範囲】
【請求項１】
被加熱物を載置する耐熱ガラスと、前記耐熱ガラス上に前記被加熱物が載置されているかを確認する被加熱物有無判定手段と、前記耐熱ガラスの下部に設けられ前記耐熱ガラスを介して前記被加熱物を加熱する加熱手段と、前記被加熱物有無判定手段と加熱手段とを制御する制御部とを有するとともに、
前記被加熱物有無判定手段は前記耐熱ガラスの上側にあって、かつ、前記被加熱物を挟んで一対の発光素子と受光素子とを備え、前記制御部は、前記発光素子による発光間隔を順次変化させて前記被加熱物の有無判定を行うことを特徴とする加熱調理装置。
【発明の詳細な説明】
【０００１】
【発明の属する技術分野】
本発明は、発光素子と受光素子とを備えた加熱調理装置に関するものである。
【０００２】
【従来の技術】
従来、マイクロコンピュータによって制御される発光素子と受光素子とを備えた加熱調理装置において、発光素子が発光する間隔は、電源周波数に同期させて、一定間隔に行っている。しかし、一定間隔に素子を発光させ受光させる方式では、ノイズに弱く、正確に被加熱物が耐熱ガラス上に載置されているかを判定できず、誤判定してしまう。誤判定した場合、耐熱ガラス上に被加熱物が載せられていないにも関らず、載せていると判定されて加熱が行われることとなり、非常に危険である。
【０００３】
【発明が解決しようとする課題】
本発明は、制御部により発光素子が発光する間隔を順次変化させることで、周期的に発生するノイズに強く、正確な被加熱物有無判定ができる、安全な加熱調理装置を提供することを目的とする。
【０００４】
【課題を解決するための手段】
上記課題を解決するために、本発明の加熱調理装置は下記の構成とした。
【０００５】
すなわち、被加熱物を載置する耐熱ガラスと、前記耐熱ガラス上に被加熱物が載置されているかを確認する被加熱物有無判定手段と、前記耐熱ガラスの下部に設けられ前記耐熱ガラスを介して前記被加熱物を加熱する加熱手段と、前記被加熱物有無判定手段と加熱手段とを制御する制御部とを有するとともに、被加熱物有無判定手段は、耐熱ガラスの上側にあって、かつ、被加熱物を挟んで一対の発光素子と受光素子とを備え、制御部は、発光素子による発光間隔を順次変化させて被加熱物の有無判定を行う構成とした。
【０００６】
【発明の実施の形態】
本発明は、被加熱物を載置する耐熱ガラスと、前記耐熱ガラス上に被加熱物が載置されているかを確認する被加熱物有無判定手段と、前記耐熱ガラスの下部に設けられ前記耐熱ガラスを介して前記被加熱物を加熱する加熱手段と、前記被加熱物有無判定手段と加熱手段とを制御する制御部を有するものである。
【０００７】
また、被加熱物有無判定手段は耐熱ガラスの上側にあって、かつ、被加熱物を挟んで一対の発光素子と受光素子とを備え、制御部は、発光素子による発光間隔を順次変化させて被加熱物の有無判定を行うことができる。
【０００８】
【実施例】
以下、本発明の一実施例について図面を参照しながら説明する。図１は、加熱調理装置の概念図である。図２は、本発明の制御回路のブロック図である。図３はマイクロコンピュータに組込まれたプログラムのフローチャートである。
【０００９】
図１に示す様に、加熱調理装置１は、被加熱物を載置する耐熱ガラス２を有し、被加熱物が耐熱ガラス上に載置されているかを判定する為、耐熱ガラスよりも上部に一対の発光素子３と受光素子４を有している。また、加熱調理装置１は、その内部に制御回路基板５を有し、制御回路基板５は加熱を制御するマイクロコンピュータ６を有している。また、加熱調理装置１は、その前面に操作部７を有している。操作部７は、加熱出力等を表示する表示部８を有し、また、調理メニュー設定等に使うキーボード９を有している。さらに、キーボード９は、調理を開始するためのスタートキー１０を有している。
【００１０】
図２は、制御回路のブロック図であり、本発明の加熱調理装置はマイクロコンピュータ６にて制御される。
【００１１】
マイクロコンピュータ６は、発光素子３を発光させ、受光素子４で受光し、被加熱物が発光素子３と受光素子４とを挟んで存在しているかの情報を読込む。
【００１２】
また、マイクロコンピュータ６は、キーボード９から如何なるキーが押されたかのキー情報を読込む。
【００１３】
さらに、マイクロコンピュータ６は、ブザー等の報知部１２を駆動し、キーボード９から読込んだ情報に基づいて表示部８を駆動し、ヒータ等の加熱手段１１を駆動する。
【００１４】
上記の構成において、発光素子による発光間隔を順次変化させて被加熱物の有無判定する場合を図３のフローチャートと図４の発光素子の時間に対する出力を用いて説明していくことにする。
【００１５】
図３のフローチャートよりプログラムは調理設定や加熱実行を制御するメインプログラムと被加熱物が耐熱ガラス上に載置されているかを判定する為の割込みプログラムから構成されている。また、割込みプログラムは、電源周期１サイクルに１回の割合で実行される。
【００１６】
最初に、電源が投入されると、メインプログラムは、Ｓ１ステップに進む。Ｓ１ステップにおいては、図１のキーボード９により入力されたキー情報から調理メニューを設定する。次に、メインプログラムは、Ｓ２ステップに進む。Ｓ２ステップでは、割込みプログラムにより得られる被加熱物有無情報より被加熱物が耐熱ガラス上に載置されているかを判定する。被加熱物が耐熱ガラス上に載置されていればメインプログラムはＳ３ステップに進む。
【００１７】
Ｓ３ステップにおいて、図１のスタートキー１０が押されるとプログラムはＳ４ステップに進む。Ｓ４ステップに進むと設定された調理メニューに従い加熱を実行する。
【００１８】
続いて、割込みプログラムについて説明をする。まず、電源が投入されると、割込みプログラムは、Ｓ５ステップに進む。Ｓ５ステップにおいては、発光素子の発光間隔を制御する発光間隔順番カウンタを更新する。
【００１９】
次に、割込みプログラムは、Ｓ６ステップに進む。Ｓ６ステップにおいては、発光間隔順番カウンタの値から順番に分岐していく。いま、１回目は、割込みプログラムは、Ｓ７ステップに進む。Ｓ７ステップにおいては、Ａ時間後に、図１の発光素子３を発光させ、受光素子４で受光する。また、２回目で有ればＢ時間後に図１の発光素子を発光させ、受光素子４で受光する。そして、Ｎ回目で有ればＮ時間後に図１の発光素子を発光させ、受光素子４で受光する。そして、割込みプログラムは、Ｓ９ステップに進む。Ｓ９ステップにおいては、受光の有無を判定する。受光が無しであれば割込みプログラムは、Ｓ１０ステップに進む。受光が無しであれば割込みプログラムは、Ｓ１１ステップに進む。
【００２０】
Ｓ１０ステップにおいては、被加熱物有無情報を有りとする。また、Ｓ１１ステップにおいては、被加熱物有無情報を無しとする。
【００２１】
【発明の効果】
以上の説明から明らかなように、本発明によれば、制御部により発光素子が発光する間隔を順次変化させることで、周期的に発生するノイズに強く、正確な被加熱物判定ができるのである。
【図面の簡単な説明】
【図１】  本発明の一実施例における加熱調理装置の概略図
【図２】  本発明の一実施例における制御回路のブロック図
【図３】  本発明の一実施例におけるマイクロコンピュータに組み込まれたプログラムのフローチャート
【符号の説明】
１  加熱調理装置
２  耐熱ガラス
３  発光素子
４  受光素子
５  制御回路基板
６  制御部（マイクロコンピュータ）
７  操作部
８  表示部
９  キーボード
１０  スタートキー
１１  加熱手段
１２  報知部
【図１】
0003708303.tif 000002
【図２】
0003708303.tif 000003
【図３】
0003708303.tif 000004